(57)【特許請求の範囲】
【請求項１】
中央がグリップとなるＵ字状のハンドル部の一対の自由端の間に、電動工具の本体に装着されるリング状の装着部の一対の基端を配置して、前記自由端と基端とを軸によって連結する一方、前記ハンドル部に、前記一対の自由端の間隔を任意に狭めることで前記自由端間で前記両基端を固定する緊締手段を設けた電動工具用サイドハンドルであって、
前記自由端と基端とが隣接する二箇所の内、少なくとも一方の前記自由端と基端との間に、スペーサを着脱可能に装着して、前記スペーサの装着位置の選択により、前記装着部に対する前記ハンドル部の位置を前記軸に沿って変更可能としたことを特徴とする電動工具用サイドハンドル。
【請求項２】
前記自由端と基端との対向面に、前記緊締手段による前記両基端の固定時に互いに噛合して回転規制を行うカム面を形成して、前記スペーサにおける前記軸方向の前後両面に、前記カム面と同じカム面を形成したことを特徴とする請求項１に記載の電動工具用サイドハンドル。
【請求項３】
前記スペーサを複数個設けて、前記各スペーサの装着位置の選択により、前記ハンドル部の位置を三箇所以上変更可能としたことを特徴とする請求項１又は２に記載の電動工具用サイドハンドル。
【請求項４】
先端にビットを装着する筒状の本体に、請求項１乃至３の何れかに記載の電動工具用サイドハンドルを装着してなる電動工具。
【発明の詳細な説明】
【技術分野】
【０００１】
本発明は、ハンマードリルやハンマ等の電動工具に装着される電動工具用サイドハンドルと、当該サイドハンドルを備えた電動工具とに関する。
【背景技術】
【０００２】
ハンマードリル等の電動工具においては、前端にビットを装着する筒状の本体の後方に、メインハンドルが連設され、本体の前方部位には、サイドハンドルが設けられている。このサイドハンドルは、特許文献１に示すように、Ｕ字状のハンドル部の一対の自由端の間に、電動工具を把持可能なリング状の装着部の一対の基端を配置すると共に、ハンドル部の自由端と装着部の基端との間に、前後両面にカム面を形成したカムを夫々配置して自由端側に回転止め状態で着脱可能に取り付けて、装着部におけるカムとの対向面に同様のカム面を形成し、カムを含めた自由端と基端とをボルトで軸着してなる。ここでは、ボルトに設けた操作ツマミを緩めると、カム面同士の乗り越えが許容されて装着部に対するハンドル部の角度が調整可能となる。そして、操作ツマミをねじ込むと、自由端の間隔が狭まって装着部が収縮し、電動工具を把持すると共に、カム面同士の噛合により当該角度でハンドル部が固定可能となる。また、このサイドハンドルにおいては、カムの一方のカム面が摩耗すると、カムを裏返すことで、他方の新しいカム面が利用可能となっている。
【０００３】
【特許文献１】特開２０００−１７６８６４号公報
【発明の開示】
【発明が解決しようとする課題】
【０００４】
ところが、特許文献１のサイドハンドルは、ハンドル部の自由端の間でのカムを介した装着部の位置が一定であるため、電動工具の本体に対してハンドル部が左右何れかへ突出するように横向きに固定した場合、本体の軸線に対するハンドル部の上下位置も一定となる。しかし、作業内容や作業者の好み、電動工具の機種等によっては、固定されたハンドル部の位置では操作性や使用感が悪くなるおそれがあった。また、電動工具の機種毎に異なる種類のサイドハンドルが必要となる場合もあり、製造や管理に係るコストもかさむこととなっていた。
【０００５】
そこで、本発明は、装着部に対するハンドル部の位置の変更が可能となって使い勝手に優れ、コストダウンにも繋がる電動工具用サイドハンドル及び電動工具を提供することを目的としたものである。
【課題を解決するための手段】
【０００６】
上記目的を達成するために、請求項１に記載の発明は、電動工具用サイドハンドルであって、ハンドル部の自由端と装着部の基端とが隣接する二箇所の内、少なくとも一方の自由端と基端との間に、スペーサを着脱可能に装着して、スペーサの装着位置の選択により、装着部に対するハンドル部の位置を軸に沿って変更可能としたことを特徴とするものである。
請求項２に記載の発明は、請求項１の構成において、スペーサを設けても確実にハンドル部の回転規制を可能とするとともに、スペーサの寿命も長くするために、自由端と基端との対向面に、緊締手段による両基端の固定時に互いに噛合して回転規制を行うカム面を形成して、スペーサにおける軸方向の前後両面に、カム面と同じカム面を形成したことを特徴とするものである。
請求項３に記載の発明は、請求項１又は２の構成において、操作性や使用感の一層の向上を図るために、スペーサを複数個設けて、各スペーサの装着位置の選択により、ハンドル部の位置を三箇所以上変更可能としたことを特徴とするものである。
上記目的を達成するために、請求項４に記載の発明は、先端にビットを装着する筒状の本体に、請求項１乃至３の何れかに記載の電動工具用サイドハンドルを装着してなる電動工具としたものである。
【発明の効果】
【０００７】
請求項１及び４に記載の発明によれば、作業内容や作業者の好み、電動工具の機種等に応じてハンドル部の位置を選択でき、操作性や使用感が向上して使い勝手に優れる。また、同じサイドハンドルで複数の機種に適用可能となるので、部品等が共通化して製造や管理に係るコストダウンも期待できることになる。さらに、見た目のバランスも良くなってデザイン性の向上にも繋がる。
請求項２に記載の発明によれば、請求項１の効果に加えて、カム面の形成により、スペーサを設けても確実にハンドル部の回転規制が可能となる。また、カム面は前後両面にあるので、基端と噛合するカム面が摩耗等した場合に、反対側のカム面を利用でき、スペーサの寿命を長くすることもできる。
請求項３に記載の発明によれば、請求項１又は２の効果に加えて、ハンドル部の位置のバリエーションが増え、作業者のニーズにより細かく対応できる。よって、操作性や使用感の一層の向上に繋がる。
【発明を実施するための最良の形態】
【０００８】
以下、本発明の実施の形態を図面に基づいて説明する。
［形態１］
図１は、電動工具用サイドハンドル（以下単に「サイドハンドル」という。）の一例を示す正面から見た断面図で、サイドハンドル１は、電動工具としてのハンマードリルの筒状の本体Ｔに装着されるリング状の装着部２と、その装着部２に軸となるボルト３を介して連結されるハンドル部４とを備える。
まず装着部２は、半円状に形成した帯状のクランプ板５，５の一端同士をピン６によって回転可能に連結してなり、各クランプ板５の他端には、円筒状の基端７が、開口側を互いに対向させた向きで連設されている。
【０００９】
一方、ハンドル部４は、両端に互いに平行な自由端８，８を形成したＵ字状で、基端にはグリップ９が形成されて、両自由端８，８の間に装着部２の基端７，７を位置させている。なお、ここでの自由端８は、図１での下側の方が上側よりも先端部分の厚みが大きくなっている。
また、隣接する自由端８と基端７との間には、スペーサ１０，１１が配置されている。このスペーサ１０，１１は、自由端８の内側に夫々突設された角柱部１２に嵌合して自由端８へ着脱可能に装着されるリング体で、ここでは上側のスペーサ１０よりも下側のスペーサ１１の方が軸方向の長さが長く形成されている。さらに、スペーサ１０，１１における軸方向の前後両面には、稜線が中央から放射状に伸びる山形の係合爪１４，１４・・が周方向へ等間隔で突設されてなるカム面１３が夫々形成されている。このカム面１３は、装着部２の基端７におけるスペーサ１０，１１との対向面にも同様に形成されている。
【００１０】
そして、ボルト３は、上側の自由端８からスペーサ１０、基端７，７、スペーサ１１、下側の自由端８を夫々貫通してネジ部１５を下方へ突出させて、上側の頭部１６を、自由端８の外面に凹設した正六角形の凹部１７に嵌合させることで回り止めされている。１８は、ボルト３と共に緊締手段を形成する操作ツマミで、内部に組み込まれたナット１９をボルト３のネジ部１５へ螺合させている。よって、下側の自由端８に当接する位置から操作ツマミ１８をねじ込み操作すると、上下の自由端８，８間の間隔を狭めることができ、操作ツマミ１８を緩める方向へ回転操作すると、自由端８，８がその弾性によって互いに平行となる原位置に復帰して間隔を拡げることになる。
【００１１】
以上の如く構成されたサイドハンドル１においては、操作ツマミ１８を緩めた状態で、基端７，７を互いの離間方向へボルト３に沿って移動させれば、クランプ板５，５の間隔も開いて装着部２の内径が拡開する。よって、先端にビットが装着される本体Ｔを装着部２に差し込むことができる。
ここから操作ツマミ１８をねじ込み操作すると、自由端８，８の間が縮まって基端７，７と共にクランプ板５，５の間隔も縮まり、装着部２の内径を収縮させる。よって、装着部２は本体Ｔに固定される。同時に、スペーサ１０，１１が隣接する基端７側へ押圧されるため、対向するカム面１３同士が係合して回り止めされ、ハンドル部４は、本体Ｔから側方へ突出する位置で固定される。この状態でハンドル部４は、装着部２に対して下方寄りに位置し、本体Ｔの軸線を通る水平な線Ｌ１と、ハンドル部４の中心を通る水平な線Ｌ２との間には上下方向に距離Ｓの差が生じている。
【００１２】
この状態で作業者は、一方の手でハンマードリルの後方のメインハンドルを把持し、他方の手でサイドハンドル１のグリップ９を把持してハンマードリルを支持することができる。
なお、操作ツマミ１８を緩めると、ハンドル部４の自由端８，８が間隔を拡げる原位置に復帰するため、ハンドル部４を前後何れかの方向へ押圧すると、係合するカム面１３間で係合爪１４が互いに乗り越えてスペーサ１０，１１の回転を許容するため、ハンドル部４をボルト３を中心に任意の位置へ回転させることができる。位置決め後、再び操作ツマミ１８をねじ込んでハンドル部４を固定すればよい。
【００１３】
そして、ハンドル部４の上下位置を変えたい場合は、操作ツマミ１８を緩めてボルト３から取り外して、ボルト３をサイドハンドル１から抜き取り、ハンドル部４の上下のスペーサ１０，１１を、夫々図１と反対側の自由端８の角柱部１２へ嵌合させて、再びボルト３を差し込んで操作ツマミ１８をねじ込む。すると、図２に示すように、長い方のスペーサ１１が上側へ移ったことで、ハンドル部４が装着部２に対して上方へ移動し、本体Ｔの軸線を通る線Ｌ１にハンドル部４の中心を通る線Ｌ２が一致する中央位置となる。
なお、図１，２の何れの場合も、スペーサ１０，１１の基端７との係合側のカム面１３に、係合爪１４の破損や摩耗等が生じれば、スペーサ１０，１１の表裏を変えて反対側のカム面１３を基端７に係合させるようにすればよい。
【００１４】
このように、上記形態１のサイドハンドル１及びハンマードリルによれば、自由端８と基端７との間に、スペーサ１０，１１を着脱可能に装着して、スペーサ１０，１１の装着位置の選択により、装着部２に対するハンドル部４の位置をボルト３に沿って変更可能としたことで、作業内容や作業者の好み、電動工具の機種等に応じてハンドル部４の位置を選択でき、操作性や使用感が向上して使い勝手に優れる。また、同じサイドハンドル１で複数の機種に適用可能となるので、部品等が共通化して製造や管理に係るコストダウンも期待できることになる。
さらに、ハンドル部４の位置変更によって見た目のバランスも良くなるので（特に中央位置）、デザイン性の向上にもなる。
【００１５】
特にここでは、自由端８と基端７との対向面に、操作ツマミ１８による両基端７，７の固定時に互いに噛合して回転規制を行うカム面１３を形成して、スペーサ１０，１１における軸方向の前後両面に、カム面１３と同じカム面１３を形成したことで、スペーサ１０，１１を設けても確実にハンドル部４の回転規制が可能となる。また、スペーサ１０，１１のカム面１３は前後両面にあるので、基端７と噛合するカム面１３が摩耗等した場合に、反対側のカム面１３を利用でき、スペーサ１０，１１の寿命を長くすることもできる。
【００１６】
次に、他の形態を説明する。なお、形態１と同じ構成部には同じ符号を付して重複する説明は省略する。
［形態２］
図３に示すサイドハンドル１ａでは、上側のスペーサ１０は形態１と同じであるが、下側のスペーサは、軸方向に二分割されて、スペーサ１０と同じ軸方向長さを有し、前後両面にカム面１３，１３を形成したスペーサ２０と、そのスペーサ２０よりも軸方向長さが長く、前後両面にカム面１３，１３を形成したスペーサ２１となっている。スペーサ２１における一方のカム面１３の中央には、スペーサ２０が嵌合する角柱部２２が突設されている。よって、スペーサ２０をスペーサ２１の角柱部２２に嵌合させることで両者は一体化し、角柱部２２から抜き外すことで両者を別々に切り離すことができる。
【００１７】
以上の如く構成されたサイドハンドル１ａにおいては、図３（Ａ）のように、スペーサ１０を装着部２の上側、スペーサ２０，２１を装着部２の下側に夫々配置して操作ツマミ１８をねじ込めば、線Ｌ１に対して線Ｌ２が下方に位置してハンドル部４は装着部２に対して下方寄りに固定される。
一方、ハンドル部４の上下位置を変えたい場合は、操作ツマミ１８を緩めてボルト３を抜き取り、下側のスペーサ２１を上側の自由端８の角柱部１２へ嵌合させて角柱部２２にスペーサ１０を嵌合させ、再びボルト３を差し込んで操作ツマミ１８をねじ込む（スペーサ１０とスペーサ２０，２１とをそのまま交換しても同じ）。すると、同図（Ｂ）に示すように、長い方のスペーサ２１が上側へ移ったことで、ハンドル部４が装着部２に対して上方へ移動し、線Ｌ１と線Ｌ２とが一致する中央位置となる。
【００１８】
このように、上記形態２のサイドハンドル１ａ及びハンマードリルにおいても、作業内容や作業者の好み、電動工具の機種等に応じてハンドル部４の位置を選択でき、操作性や使用感が向上して使い勝手に優れる。また、スペーサ１０，２０にも軸方向の前後両面にカム面１３が形成されているので、形態１と同様に各スペーサの寿命を長くすることができる。さらに、複数機種への適用によるコストダウンやデザイン性の向上も同様に得られる。
【００１９】
［形態３］
図４に示すサイドハンドル１ｂにおいては、上側のスペーサ１０は同じで、下側の自由端８の厚みが小さくなって下側のスペーサが軸方向に三分割され、スペーサ１０と同じ軸方向長さを有するスペーサ２３と、そのスペーサ２３よりも軸方向長さが長く、前後両面にカム面１３，１３を形成した２つのスペーサ２４，２４となっている。ここではスペーサ２４に夫々角柱部２５が形成されている。よって、スペーサ２４同士は、一方の角柱部２５に他方のスペーサ２４を嵌合させると共に、上側のスペーサ２４の角柱部２５にスペーサ２３を嵌合させることで互いに一体化し、角柱部２５から抜き外すことで別々に切り離すことができる。
【００２０】
以上の如く構成されたサイドハンドル１ｂにおいては、図４（Ａ）のように、スペーサ１０を装着部２の上側、スペーサ２３，２４を装着部２の下側に夫々配置して操作ツマミ１８をねじ込めば、線Ｌ１に対して線Ｌ２が下方に位置してハンドル部４は装着部２に対して下方寄りに固定される。
一方、ハンドル部４の上下位置を変えたい場合は、操作ツマミ１８を緩めてボルト３を抜き取り、下側のスペーサ２４の一方を上側の自由端８の角柱部１２へ嵌合させて角柱部２５にスペーサ１０を嵌合させ、再びボルト３を差し込んで操作ツマミ１８をねじ込む（スペーサ１０とスペーサ２３，２４とをそのまま交換しても同じ）。すると、同図（Ｂ）に示すように、長い方のスペーサ２４が上側へ移ったことで、ハンドル部４が装着部２に対して上方へ移動し、線Ｌ１と線Ｌ２とが一致する中央位置となる。
【００２１】
そして、同図（Ｂ）の状態から下側の残りのスペーサ２４も上側へ移動させれば、同図（Ｃ）に示すように、ハンドル部４が装着部２に対してさらに上方へ移動し、線Ｌ１よりも線Ｌ２を上方へ位置させることができる。
なお、図４（Ａ）から同図（Ｃ）への変更も勿論可能で、この場合はスペーサ２４，２４のみを上側へ移動させるか、スペーサ１０とスペーサ２３，２４とをそのまま交換するかすればよい。
【００２２】
このように、上記形態３のサイドハンドル１ｂにおいても、作業内容や作業者の好み、電動工具の機種等に応じてハンドル部４の位置を選択でき、操作性や使用感が向上して使い勝手に優れる。また、スペーサ１０，２３にも前後両面にカム面１３が形成されているので、形態１，２と同様に各スペーサの寿命を長くすることができる。さらに、複数機種への適用によるコストダウンやデザイン性の向上も期待できる。
特にここでは、複数のスペーサ１０，２３，２４の装着位置の選択により、ハンドル部４の位置を三箇所変更可能としているので、ハンドル部４の位置のバリエーションが増え、作業者のニーズにより細かく対応できる。よって、操作性や使用感の一層の向上に繋がる。
【００２３】
なお、スペーサの数や形状は上記形態に限らず、分割する数を増やしたり、軸方向の厚みを変えたりすることで、ハンドル部の位置をさらに細かく四箇所以上で変更可能としても差し支えない。また、スペーサは、上記形態では軸方向の前後両面にカム面を形成しているが、片方のみでもよいし、緊締手段のみで回転規制が可能であればカム面を省略してもよい。
その他、装着部及びハンドル部の形態は上記内容に限らず、例えば装着部のリング状部分を帯板としたり、グリップにディンプル等の凹凸を設けたりする変更は勿論、操作ツマミの位置を上下逆に設けたり、装着部に対するハンドル部の位置を左右逆にしたり等の変更も可能である。
【００２４】
そして、上記形態では、ハンドル部の自由端と装着部の基端とが隣接する二箇所共にスペーサを設けているが、何れか一方の自由端と基端との間のみにスペーサを配置し、スペーサの装着位置を他方側の自由端と基端との間に変更することで、装着部に対するハンドル部の位置を変更することも考えられる。また、スペーサはリング体に限らず、例えば側面に軸方向のスリットを形成した横断面Ｃ字状として、ボルトに対して側面から嵌脱させるようにすれば、スペーサの着脱が容易となる。
【図面の簡単な説明】
【００２５】
【図１】形態１のサイドハンドルの説明図である（ハンドル部は下方位置）。
【図２】形態１のサイドハンドルの説明図で、ハンドル部は中央位置で示している。
【図３】形態２のサイドハンドルの説明図で、（Ａ）はハンドル部の下方位置、（Ｂ）は中央位置を夫々示す。
【図４】形態３のサイドハンドルの説明図でで、（Ａ）はハンドル部の下方位置、（Ｂ）は中央位置、（Ｃ）は上方位置を夫々示す。
【符号の説明】
【００２６】
１，１ａ〜１ｂ・・電動工具用サイドハンドル、２・・装着部、３・・ボルト、４・・ハンドル部、７・・基端、８・・自由端、９・・グリップ、１０，１１，２０，２１，２３，２４・・スペーサ、１２，２２・・角柱部、１３・・カム面、１４・・係合爪、１８・・操作ツマミ。
【図１】
0005117929.tif 000002
【図２】
0005117929.tif 000003
【図３】
0005117929.tif 000004
【図４】
0005117929.tif 000005